(57)【要約】【課題】非接触手段を所有する特定の利用者の位置をも加味することでセキュリティを向上させるとともに、利用者の利便性を向上できるエレベータの群管理制御装置を提供する。【解決手段】オートロックドアの解錠をするための特定の利用者１の非接触手段の情報を読み取る第１非接触キー読取装置７と、エレベータホールに設置される第２非接触キー読取装置８と、第１と第２非接触キー読取装置からの信号により特定の利用者１の位置を検出する特定人物位置検出手段９と、特定人物位置検出手段により特定の利用者１がエレベータホールに到着したことを検出したらセキュリティ（防犯）対象階の乗りかご呼びを登録可能な状態にする特定人物不停止解除手段１０と、非接触キーを所有しない非特定人物が連絡を取ったセキュリティ対象階の乗りかご呼びを登録可能な状態にする非特定人物不停止解除手段１４を備える。【選択図】図２
2010208725.tif 000002
【特許請求の範囲】
【請求項１】
建物の入口部と前記入口部につながるエレベータホールとの間に防犯用ドアが設けられ、前記エレベータホールには複数台のエレベータが設置され、前記建物の中で特定の階へのエレベータの行先登録が不可能な状態となりえる防犯運転を行うエレベータの群管理制御装置であって、
前記防犯用ドアの近傍に設置されて、防犯対象階の利用を認められ前記防犯用ドアの解錠をするための非接触手段を所有する特定の利用者の前記非接触手段の情報を読み取る第１非接触手段読取装置と、
前記エレベータホールに設置されて、前記防犯対象階の利用を認められ前記非接触手段を所有する特定の利用者の前記非接触手段の情報を読み取る第２非接触手段読取装置と、
前記第１非接触手段読取装置と前記第２非接触手段読取装置からの信号により前記非接触手段を所有する特定の利用者の位置を検出する特定人物位置検出手段と、
前記特定人物位置検出手段により前記非接触手段を所有する特定の利用者が前記エレベータホールに到着したことを検出した場合に、前記防犯用ドア設置階の乗場呼びに応答した前記エレベータの前記非接触手段に該当する前記防犯対象階の乗りかご呼びを登録可能な状態にする特定人物不停止解除手段と、  
前記非接触手段を所有しない非特定人物が前記防犯対象階に在館している人物に連絡を取って前記防犯用ドアが解除されることで前記エレベータホールへの移動を許可されるとともに、前記連絡後に前記エレベータが前記防犯用ドア設置階の乗場呼びに応答した場合には前記連絡を取った前記防犯対象階の乗りかご呼びを登録可能な状態にする非特定人物不停止解除手段と、
を備えることを特徴とするエレベータの群管理制御装置。
【請求項２】
各前記エレベータの乗りかご内に設置された第３非接触手段読取装置と、
前記非接触手段を所有する特定の利用者の前記非接触手段の情報を、前記第２非接触手段読取装置と前記第３非接触手段読取装置とにより検出した順番により、前記非接触手段を所有する特定の利用者が前記エレベータの乗りかごを利用するのか、前記エレベータの乗りかごを使用し終わったのか、を判断する特定利用者利用状況判断手段と、
前記非接触手段を所有する特定の利用者が前記エレベータの乗りかごを利用する場合に限り前記エレベータの該当階の乗りかご呼びを登録可能な状態にする利用状況加味特定人物不停止解除手段と、を備えることを特徴とする請求項１に記載のエレベータの群管理制御装置。
【請求項３】
前記第３非接触手段読取装置により、前記非接触手段を所有する特定の利用者が乗り込んだ前記エレベータを判断する特定人物乗車エレベータ判別手段と、
前記非接触手段を所有する特定の利用者が乗り込んだ前記エレベータのみ該当階の乗りかご呼びを登録可能な状態にする特定人物乗車エレベータ限定不停止解除手段と、を備えることを特徴とする請求項２に記載のエレベータの群管理制御装置。
【請求項４】
前記非接触手段を所有する特定の利用者が前記エレベータを利用する際に、一旦前記防犯用ドア設置階に前記エレベータが応答したにも関わらず、別の前記非接触手段を所有する特定の利用者が前記エレベータにいると検出された場合には、前記エレベータが先に出発してしまったことを案内する特定利用者向け運行状況案内手段と、を備えることを特徴とする請求項１〜請求項３のいずれか１つの項に記載のエレベータの群管理制御装置。
【請求項５】
前記特定利用者向け運行状況案内手段により前記エレベータが出発してしまったことを案内するとともに、該当階で乗場呼びを自動的に登録する特定利用者乗場呼び再登録手段を備えることを特徴とする請求項４に記載のエレベータの群管理制御装置。
【発明の詳細な説明】
【技術分野】
【０００１】
本発明は、エレベータの群管理制御装置に関し、特にセキュリティと利用者の利便性を確保するエレベータの群管理制御装置に関する。
【背景技術】
【０００２】
建物、例えば集合住宅は、セキュリティ（防犯）確保のためにオートロック装置を備えており、セキュリティと利便性を確保するために、このオートロック装置とエレベータ装置を連動させることが提案されている。
【０００３】
そこで、特許文献１には、非接触キーを利用したオートロック装置とエレベータ装置を連動させて、基準階へのエレベータの乗りかごの呼び戻しと目的階を自動登録できことが開示されている。
【０００４】
また、特許文献２には、オートロックドアの解除情報からエレベータをオートロックドア設置階へ移動させ、かつオートロックドア設置階の乗り場呼びボタンとセキュリティ対象階の乗りかご呼びを一定時間有効とすることで、利用者がエレベータに乗り込んでセキュリティ対象階への移動を可能にすることが開示されている。
【先行技術文献】
【特許文献】
【０００５】
【特許文献１】特開２００３―２７６９５８号公報
【特許文献２】特開２００５―２１２９４０号公報
【発明の概要】
【発明が解決しようとする課題】
【０００６】
ところが、上記従来の技術では、オートロックドアと連動してエレベータの呼び戻しを行ったり、目的階を自動登録したり、乗りかご呼びを一定時間有効とする条件には、利用者の位置情報が加味されていない。この利用者の位置情報は、利用者が建物内のどこの位置、例えばエントランスに居るのか、エレベータホールに居るのか等を示す情報である。
【０００７】
例えば、複数の利用者が同じ階に混在した時に、先の利用者がすでにオートロックドアの解除をしてエレベータホールに既に達していて、後の利用者がエントランスに居てオートロックの解除はしたがまだエレベータホールには到着していない場合には、先の利用者のためにエレベータのセキュリティを解除してしまう場合があり、セキュリティが弱くなることがある。
【０００８】
そして、先の利用者によりエレベータがオートロック設置階を出発してしまうと、再度、後の利用者は再びオートロックドアの解除作業からやり直して再度エレベータホールに進む必要があり、後の利用者がエレベータを利用する場合の利便性が損なわれる場合がある。
【０００９】
複数台のエレベータが設置されているエレベータの群管理制御装置では、利用者がどのエレベータの乗りかごに乗り込むかが分からないので、全てのエレベータに対してセキュリティを解除する必要があり、セキュリティ（防犯）が弱くなってしまう。
【００１０】
本発明は、上記に鑑みてなされたものであり、その目的は、防犯用ドアと連動してエレベータを運行する場合に、非接触手段を所有する特定の利用者の位置をも加味することでエレベータのセキュリティ（防犯）を向上させるとともに、利用者の利便性を向上できるエレベータの群管理制御装置を提供することである。
【課題を解決するための手段】
【００１１】
本発明のエレベータの群管理制御装置は、建物の入口部と前記入口部につながるエレベータホールとの間に防犯用ドアが設けられ、前記エレベータホールには複数台のエレベータが設置され、前記建物の中で特定の階へのエレベータの行先登録が不可能な状態となりえる防犯運転を行うエレベータの群管理制御装置であって、前記防犯用ドアの近傍に設置されて、防犯対象階の利用を認められ前記防犯用ドアの解錠をするための非接触手段を所有する特定の利用者の前記非接触手段の情報を読み取る第１非接触手段読取装置と、前記エレベータホールに設置されて、前記防犯対象階の利用を認められ前記非接触手段を所有する特定の利用者の前記非接触手段の情報を読み取る第２非接触手段読取装置と、前記第１非接触手段読取装置と前記第２非接触手段読取装置からの信号により前記非接触手段を所有する特定の利用者の位置を検出する特定人物位置検出手段と、前記特定人物位置検出手段により前記非接触手段を所有する特定の利用者が前記エレベータホールに到着したことを検出した場合に、前記防犯用ドア設置階の乗場呼びに応答した前記エレベータの前記非接触手段に該当する前記防犯対象階の乗りかご呼びを登録可能な状態にする特定人物不停止解除手段と、前記非接触手段を所有しない非特定人物が前記防犯対象階に在館している人物に連絡を取って前記防犯用ドアが解除されることで前記エレベータホールへの移動を許可されるとともに、前記連絡後に前記エレベータが前記防犯用ドア設置階の乗場呼びに応答した場合には前記連絡を取った前記防犯対象階の乗りかご呼びを登録可能な状態にする非特定人物不停止解除手段と、を備えることを特徴とする。
【発明の効果】
【００１２】
本発明によれば、防犯用ドアと連動してエレベータを運行する場合に、非接触手段を所有する特定の利用者の位置をも加味することでセキュリティ（防犯）を向上させるとともに、利用者の利便性を向上できるエレベータの群管理制御装置を提供することができる。
【図面の簡単な説明】
【００１３】
【図１】本発明のエレベータの群管理制御装置の好ましい実施形態における建物のエントランスとエレベータホールと、利用者の位置関係を示す図である。
【図２】本発明のエレベータの群管理制御装置の好ましい実施形態を示すブロック図である。
【図３】図２に示すブロック図の特定人物位置検出手段の動作例を示すフロー図である。
【図４】本発明のエレベータの群管理制御装置の別の好ましい実施形態における建物のエントランスとエレベータホールと、利用者の位置関係を示す図である。
【図５】本発明のエレベータの群管理制御装置のさらに別の好ましい実施形態における建物のエントランスとエレベータホールと、利用者の位置関係を示す図である。
【発明を実施するための形態】
【００１４】
本発明の実施形態について図面を参照して説明する。
【００１５】
（第１実施形態）
図１は、本発明のエレベータの群管理制御装置の好ましい実施形態における建物のエントランスとエレベータホールと、利用者の位置関係の例を示す。
【００１６】
図１には、エレベータの群管理制御装置１００の乗りかご２４，２５，２６と建物Ｈの一部が示されている。
【００１７】
図１には、建物Ｈのエントランス（入口部の一例）１０１と、オートロックドア３と、廊下１０２と、そしてエレベータホール１０３が例示されている。オートロックドア３は防犯用ドアの一例である。建物Ｈのオートロックドア３は、エントランス１０１と、エレベータホール１０３に続く廊下１０２との間に設けられ、エントランス１０１と廊下１０２を区切る。エントランス１０１は、オートロックドア３を解錠することで、廊下１０２を介してエレベータホール１０３に通じる。
【００１８】
エントランス１０１には、オートロックドア３の近傍において、第１非接触キー読取装置７と、インターホーン制御装置１３が設置されている。また、エレベータホール１０３には、第２の非接触キー読取装置８が設置されている。第１非接触キー読取装置７と第２の非接触キー読取装置８は、非接触手段読取装置の一例である。
【００１９】
図１において、オートロックドア３の解錠をするための非接触キー（非接触手段の一例）を所有する特定の利用者（特定人物に相当、人物Ａ）１が、エントランス１０１でオートロックドア３を解除してエレベータホール１０３に到着する前に、先に建物の中に入っている非接触キーを所有する特定の利用者（特定人物に相当、人物Ｂ）４がエレベータホール１０３に先に到着してしまった場合を想定する。
【００２０】
この場合には、非接触キーを所有する特定の利用者１によるオートロックドア３の解除と連動してセキュリティを解除しているエレベータの乗りかご２４，２５，２６には、先に到着している非接触キーを所有する特定の利用者４が特定の利用者１よりも先に乗り込んでしまい、非接触キーを所有する特定の利用者１が、エントランス１０１からエレベータホール１０３に到着する前に、特定の利用者４が乗り込んだ乗りかごが先に出発してしまう可能性がある。
【００２１】
非接触キーを所有する特定の利用者１と非接触キーを所有する特定の利用者４が異なるセキュリティ対象階に向かおうとしている場合には、本来セキュリティを解除する対象以外の利用者に対しても、セキュリティを解除してしまうことになり、セキュリティが確保できなくなってしまう。また、エレベータホール１０３に残された非接触キーを所有する特定の利用者１は、再びエントランス１０１からオートロックドア３の解除をやり直す必要があるので、利便性が損なわれてしまうことになる。
【００２２】
そこでこのような観点から、本発明のエレベータの群管理制御装置の好ましい実施形態では、エントランス１０１に第１非接触キー読取装置７を設置するだけではなく、エレベータホール１０３にも第２非接触キー読取装置８を追加して設置することで、非接触キーを所持している特定の利用者１が、建物のどの位置にいるかを判断して、非接触キーを所持している特定の利用者１がエレベータホール１０３に到着した時に、この非接触キーを所持している特定の利用者１のために、エレベータのセキュリティを解除することで、防犯運転を行って、セキュリティ（防犯）の確保と利用者の利便性の向上を図ることができるようになっている。
【００２３】
図２は、図１に示すエレベータの群管理制御装置の好ましい実施形態を示すブロック図である。図２に示すエレベータの群管理制御装置１００は、一例として３台のエレベータ２０１，２０２，２０３に適用されている。
【００２４】
図２に示すように、エレベータの群管理制御装置１００は、特定人物位置検出手段９と、特定人物不停止解除手段１０と、エレベータセキュリティ運転処理部１２と、非特定人物不停止解除手段１４を備える。
【００２５】
特定人物位置検出手段９は、特定人物不停止解除手段１０に電気的に接続され、特定人物不停止解除手段１０は、エレベータセキュリティ運転処理部１２に電気的に接続されている。非特定人物不停止解除手段１４は、エレベータセキュリティ運転処理部１２に電気的に接続されている。
【００２６】
オートロックドア設置の第１非接触キー読取装置７とエレベータホール設置の第２非接触キー読取装置８は、特定人物位置検出手段９に電気的に接続されている。また、オートロックドア設置のインターホーン制御装置１３は、非特定人物不停止解除手段１４に電気的に接続されている。
【００２７】
図２に示すように、エレベータセキュリティ運転処理部１２は、エレベータ２０１のエレベータ制御盤（Ａ）１１ａと、エレベータ２０２のエレベータ制御盤（Ｂ）１１ｂと、エレベータ２０３のエレベータ制御盤（Ｃ）１１ｃに電気的に接続されている。同様にして、特定人物不停止解除手段１０は、エレベータ２０１のエレベータ制御盤（Ａ）１１ａと、エレベータ２０２のエレベータ制御盤（Ｂ）１１ｂと、エレベータ２０３のエレベータ制御盤（Ｃ）１１ｃに電気的に接続されている。さらに、非特定人物不停止解除手段１４は、エレベータ２０１のエレベータ制御盤（Ａ）１１ａと、エレベータ２０２のエレベータ制御盤（Ｂ）１１ｂと、エレベータ２０３のエレベータ制御盤（Ｃ）１１ｃに電気的に接続されている。
【００２８】
エレベータ２０１のエレベータ制御盤（Ａ）１１ａは乗りかご２４の動作を制御する。エレベータ２０２のエレベータ制御盤（Ｂ）１１ｂは乗りかご２５の動作を制御する。エレベータ２０３のエレベータ制御盤（Ｃ）１１ｃは乗りかご２６の動作を制御する。エレベータの群管理制御装置１００は、複数の階床をサービスすることができる複数台のエレベータ２０１，２０２，２０３に適用されている。乗場呼び割当手段３００が、各エレベータ２０１，２０２，２０３のエレベータ制御盤（Ｂ）１１ｂと、エレベータ２０３のエレベータ制御盤（Ｃ）１１ｃからのエレベータ状態を示す情報によりエレベータの評価を算出して各階床の乗場呼びに応答するエレベータを決定するようになっている。
【００２９】
図２に示すオートロックドア設置の第１非接触キー読取装置７とエレベータホール設置第２の非接触キー読取装置８が、一例として図１に示す非接触キーを所有する特定の利用者１の非接触キーの情報を非接触で検出すると、この非接触キーの検出情報が、特定人物位置検出手段９に入力される。特定人物位置検出手段９では、非接触キーを所有している利用者１が、オートロックドア３の付近に到着しているか否か、そしてエレベータホール１０３に到着しているか否かを判断して、非接触キーを所有する特定の利用者１の位置の判断結果が、特定人物位置検出手段９から特定人物不停止解除手段１０に入力される。
【００３０】
また、図２に示す特定人物不停止解除手段１０には、群管理内の各エレベータ制御盤１１ａ、１１ｂ、１１ｃから各エレベータ２０１，２０２，２０３の乗りかご２４，２５，２６の運行状況が入力される。図１に示す非接触キーを所有している特定の利用者（特定人物）１がエレベータホール１０３に到着した時に、特定人物不停止解除手段１０は、図１に示すオートロックドア３に応答した乗りかご２４，２５，２６に対して目的階のセキュリティを解除するように、エレベータセキュリティ運転処理部１２に対して入力を行う。すなわち、特定人物不停止解除手段１０は、非接触キーを所有している特定の利用者１がエレベータホール１０３に到着したことを検出した場合に、オートロックドア設置階の乗場呼びに応答したエレベータの非接触キーに該当するセキュリティ対象階の乗りかご呼びを登録可能な状態にすることができる。
【００３１】
一方、図２に示す非接触キーを持たない利用者（非特定人物に相当）がエレベータを利用する場合には、この非接触キーを持たない利用者は、図１に示すオートロックドア３の近傍に設けられたインターホーン制御装置１３のインターホーンによりセキュリティ対象階に在館している人物と連絡を取ることによりオートロックドア３が解錠され、エレベータホール１０３への移動が許可される。これにより、オートロックドア設置階のインターホーン制御装置１３からインターホーンにより連絡を取った階床と、オートロックドア３の解除状態とが、非特定人物不停止解除手段１４に入力される。非特定人物不停止解除手段１４には、群管理内の各エレベータ制御盤１１ａ、１１ｂ、１１ｃから各エレベータ２０１，２０２，２０３の乗りかご２４，２５，２６の運行状況が入力される。
【００３２】
非特定人物不停止解除手段１４は、オートロックドア３が解除された後に、オートロックドア設置階に応答した乗りかご２４，２５，２６に対して目的階のセキュリティを解除するように、エレベータセキュリティ運転処理部１２に対して入力を行う。すなわち、非特定人物不停止解除手段１４は、インターホーンによりの連絡を取った後に、エレベータがオートロックドア設置階の乗場呼びに応答した場合には連絡を取った階の乗りかご呼びを登録可能な状態にすることができる。
【００３３】
図２のエレベータセキュリティ運転処理部１２では、特定人物不停止解除手段１０より入力されたセキュリティ解除の要求、または非特定人物不停止解除手段１４より入力されたセキュリティ解除の要求により、該当するエレベータ制御盤１１ａ、１１ｂ、１１ｃに対してエレベータの乗りかご内のセキュリティを解除するように指令を出す。
【００３４】
図３は、図２に示すブロック図の特定人物位置検出手段９の動作例を示すフロー図である。  
ここで、セキュリティを解除するのは、例えば非接触キーを所有する特定の利用者１がエレベータの乗りかごを使って、セキュリティ対象階に向かう場合だけであり、逆に、特定の利用者がエレベータの乗りかごから降りてくる場合には、セキュリティの解除は必要ない。しかし、図１に示す非接触キーを所有する特定の利用者１のエレベータホール１０３への到着を、エレベータホール１０３の第２非接触キー読取装置８だけで判断してしまうと、非接触キーを所有する特定の利用者１がこれからセキュリティ対象階に向かう方向に歩いているのか、あるいは逆に建物の外へ出て行く方向に歩いているのかを判断できなくなる。
【００３５】
そこで、ステップＳ１の位置検出開始条件判定では、図１に示すオートロックドア設置の第１非接触キー読取装置７により、非接触キーを所有する特定の利用者１の非接触キーの情報を検出して、ステップＳ２の位置検出条件初期化処理では、非接触キーに該当する特定の人物を利用者登録して、利用者登録からの経過時間の測定を開始する。
【００３６】
ステップＳ３の移動最大時間判定では、利用者登録されてから一定時間内であれば、すなわち非接触キーを所有する特定の利用者１が一定時間内にエントランス１０１からエレベータホール１０３に進んだ場合には、ステップＳ４に移る。このステップＳ４の移動完了条件判定では、図１に示すエレベータホール設置の第２非接触キー読取装置８で、利用者登録された人物を検出する。
【００３７】
ステップＳ４において利用者登録された人物を検出できると、ステップＳ５の移動完了処理では、利用者登録された人物は、エントランスホール１０１からエレベータホール１０３に移動が完了したと判断して、処理が終了する。そうでなく、ステップＳ４において利用者登録された人物を検出できないと、ステップＳ３に戻り再度利用者登録されてから一定時間内であれば、ステップＳ４の移動完了条件判定に移る。
【００３８】
ステップＳ３において、利用者登録されてから一定時間を経過すると、すなわち非接触キーを所有する特定の利用者１が一定時間内にエントランス１０１からエレベータホール１０３に進んでいない場合には、ステップＳ６の例外処理において、利用者登録された人物は、エレベータホール１０３には到達しないでエントランス１０１側に引き返したと判断して、利用者登録から除外する。
【００３９】
このように、ステップＳ１における第１非接触キー読取装置７を用いた位置検出開始条件判定と、ステップＳ４における第２非接触キー読取装置８を用いた移動完了条件判定とを組み合わせることにより、非接触キーの所有している利用者１の移動方向が、図１に示すオートロックドア３からエレベータホール１０３側へ進む方向であるか、そうでなく逆にエレベータホール１０３からオートロックドア３側へ進む方向であるかを判断することができる。
【００４０】
また、非接触キーの所有している特定の利用者１が、オートロックドア３を通過後にエレベータホール１０３側へ進まずに引き返してしまった場合を考慮して、このように引き返してしまった特定の利用者１は、ステップＳ３の移動最大時間判定により移動最大時間である一定時間を経過した場合には、判定対象から除外するのである。
【００４１】
（第２実施形態）
次に、本発明の第２実施形態を、図４を参照して説明する。
【００４２】
図４は、本発明のエレベータの群管理制御装置の好ましい第２実施形態における建物のエントランスとエレベータホールと、利用者の位置関係の別の例を示す図である。
【００４３】
図４に示すエレベータの群管理制御装置１００Ａは、図１に示すエレベータの群管理制御装置１００に対して、さらに次の要素が追加されている。
【００４４】
図４に示す乗りかご２４，２５，２６内には、それぞれ第３非接触キー読取装置１９が設置されている。さらに、オートロックドア設置の第１非接触キー読取装置７とエレベータホール設置の第２非接触キー読取装置８と乗りかご設置の第３非接触キー読取装置１９は、特定利用者利用状況判断手段１３０に電気的に接続され、この特定利用者利用状況判断手段１３０は、利用状況加味特定人物不停止解除手段１３１に電気的に接続されている。利用状況加味特定人物不停止解除手段１３１は、エレベータ制御盤１１ａ、１１ｂ、１１ｃに電気的に接続されている。
【００４５】
図２に示すエレベータの群管理制御装置の第１実施形態では、オートロックドア設置の第１非接触キー読取装置７とエレベータホール設置の第２非接触キー読取装置８が、非接触キーを所有する特定の利用者１の非接触キーの情報を検出した順番により、非接触キーを所有する特定の利用者１が、エントランス１０１からエレベータホール１０３に到着したことを検出した場合に、セキュリティ対象階のセキュリティを解除している。
【００４６】
これに対して、図４に示す本発明の第２実施形態のエレベータの群管理制御装置１００Ａでは、上述したように乗りかご２４，２５，２６には、それぞれ第３非接触キー読取装置１９が設置されている。第３非接触キー読取装置１９は、第３非接触手段読取装置の一例である。
【００４７】
これにより、乗りかごがオートロックドア設置階に応答した時に、エレベータホール設置の第２非接触キー読取装置８が非接触キーを所有する特定の利用者２０を検出し、そして乗りかご内の第３非接触キー読取装置１９がこの非接触キーを所有する特定の利用者２０を検出した場合には、特定利用者利用状況判断手段１３０は、第２非接触キー読取装置８が読み取った特定の利用者Ｈの情報と第３非接触キー読取装置１９読み取った特定の利用者Ｈの情報とから、非接触キーを所有する特定の利用者２０がエレベータをこれから利用することを判断する。
【００４８】
特定利用者利用状況判断手段１３０が利用状況加味特定人物不停止解除手段１３１に指令をして、利用状況加味特定人物不停止解除手段１３１は、該当するエレベータ制御盤１１ａ，１１ｂ，１１ｃに信号を与えることで利用者が乗りこんだ乗りかごのセキュリティを解除する。すなわち、利用状況加味特定人物不停止解除手段１３１は、非接触キーを所有する特定の利用者２０が利用する場合に限り、エレベータの該当階の乗りかご呼びを登録可能な状態にする。
【００４９】
図２に示すエレベータの群管理制御装置の第１実施形態では、非接触キーを所有する特定の利用者１の非接触キーの情報は、エントランス１０１に設置した第１非接触キー読取装置７により検出した後、一定時間内にエレベータホール１０３に到着して第２非接触キー読取装置８により検出する必要がある。
【００５０】
これに対して、図４に示す第２実施形態では、乗りかごがオートロックドア設置階に応答している際に、非接触キーを所有する特定の利用者２０がエレベータホール１０３からＴ１方向に沿って乗りかご内に移動したか、あるいは非接触キーを所有する特定の利用者２０が乗りかごからＴ２方向に沿ってエレベータホール１０３へ移動したかは、第２非接触キー読取装置８と第３非接触キー読取装置１９が非接触キーの情報を読み取る順番により、検出すれば良い。すなわち、第２非接触キー読取装置８が非接触キーの情報を読み取りその後に第３非接触キー読取装置１９が非接触キーの情報を読み取れば、非接触キーを所有する特定の利用者２０がエレベータホール１０３からＴ１方向に沿って乗りかご内に移動したことが判明する。逆に、第３非接触キー読取装置１９が非接触キーの情報を読み取りその後に第２非接触キー読取装置８が非接触キーの情報を読み取れば、非接触キーを所有する特定の利用者２０が乗りかごからＴ２方向に沿ってエレベータホール１０３へ移動したことが判明する。
【００５１】
従って、図４に示す非接触キーを所有する特定の利用者２０の移動に際しては、一定時間内にエントランス１０１からエレベータホール１０３へ移動する必要がある制約を加味しなくても良く、移動する時間には拘束されないので、さらに利用者の利便性が向上する。
【００５２】
（第３実施形態）
次に、本発明の第３実施形態を、図５を参照して説明する。
【００５３】
本発明のエレベータの群管理制御装置の好ましい第３実施形態における建物のエントランスとエレベータホールと、利用者の位置関係のさらに別の例を示す図である。
【００５４】
複数台のエレベータを群管理制御する時には、利用者がエレベータホールに到着した際に、利用者のためにオートロックドア設置階へ応答させたエレベータの乗りかご以外に乗りかご呼びに応答する乗りかごが別に存在すると、複数台のエレベータの乗りかごがオートロックドア設置階に応答してしまう場合がある。
【００５５】
この場合には、複数台のエレベータが稼働しているので、非接触キーを所有する特定の利用者がどの乗りかごに乗り込むかを検出できないと、複数台の全てのエレベータに対してセキュリティを解除する必要がある。このため、複数台のエレベータのセキュリティが確保できない場合がある。
【００５６】
そこで、図５に示すエレベータの群管理制御装置１００Ｂでは、複数台の乗りかご２４，２５，２６内には、それぞれ第３非接触キー読取装置１９ａ，１９ｂ，１９ｃが設置されている。第３非接触キー読取装置１９ａ，１９ｂ，１９ｃは、特定人物乗車エレベータ判別手段１４０に電気的に接続され、特定人物乗車エレベータ判別手段１４０は特定人物乗車エレベータ限定不停止解除手段１４１に電気的に接続されている。特定人物乗車エレベータ判別手段１４０は、各エレベータ制御盤１１ａ、１１ｂ、１１ｃに電気的に接続されている。
【００５７】
これにより、図５に示すように、非接触キーを所有する特定の利用者３０が乗りかご１９ａ，１９ｂ，１９ｃのいずれに乗り込んだかを、乗りかご２４，２５，２６内の第３非接触キー読取装置１９ａ，１９ｂ，１９ｃにより検出して、特定人物乗車エレベータ判別手段１４０は、第３非接触キー読取装置１９ａ，１９ｂ，１９ｃからの情報により、非接触キーを所有する特定の利用者３０が乗り込んだエレベータの乗りかごを特定することができる。例えば、非接触キー読取装置１９ｂから情報が、特定人物乗車エレベータ判別手段１４０に来れば、特定人物乗車エレベータ判別手段１４０は特定の利用者３０が乗りかご２５に乗りこんだことを判別できる。
【００５８】
そして、特定人物乗車エレベータ判別手段１４０の指令により、特定人物乗車エレベータ限定不停止解除手段１４１は、エレベータ制御盤１１ａ、１１ｂ、１１ｃに指令して、非接触キーを所有する特定の利用者３０が乗り込んだエレベータの乗りかごのみ該当階のかご呼びを登録可能な状態にして、非接触キーを所有する特定の利用者３０が乗り込んだエレベータの乗りかごのみのセキュリティを解除する。これにより、全部のエレベータのセキュリティを解除する必要が無く、特定の利用者が乗り込んだエレベータだけをセキュリティ解除すればよいので、他の残りのエレベータのセキュリティを確保できる。
【００５９】
また、図５に示すように、特定利用者向け運行状況案内手段１５０が、エレベータ制御盤１１ａ、１１ｂ、１１ｃに電気的に接続されており、特定利用者乗場呼び再登録手段１５１が特定利用者向け運行状況案内手段１５０に電気的に接続されている。
【００６０】
これにより、非接触キーを所有する特定の利用者がエレベータを利用しようとする際に、一旦オートロックドア設置階にエレベータの乗りかごが応答したにも関わらず、別の非接触キーを所有する特定の利用者がエレベータホール１０３に残って居ることがエレベータホール設置の第２非接触キー読取装置８により検出された場合には、特定利用者向け運行状況案内手段１５０が、エレベータの乗りかごが先に既に出発してしまったことを、エレベータホール１０３に残って居る特定の利用者に対して確実に案内することができる。
【００６１】
そして、特定利用者向け運行状況案内手段１５０が、エレベータの乗りかごが先に出発してしまったことを、非接触キーを所有する特定の利用者に対して案内するとともに、この案内と連動して、特定利用者乗場呼び再登録手段１５１は、乗れなかった非接触キーを所有する特定の利用者のために、セキュリティドア設置階（防犯用ドア設置階）の乗場呼びを自動的に登録して、再度セキュリティの解除を行うことができる。これにより、利用者の利便性を向上させることができる。特定利用者向け運行状況案内手段１５０は、例えば液晶表示装置等の表示装置にエレベータの運行状況を表示したり、あるいはスピーカ等で音声によりエレベータの運行状況を案内することができる。
【００６２】
本発明のエレベータの群管理制御装置は、建物の入口部と前記入口部につながるエレベータホールとの間に防犯用ドアが設けられ、前記エレベータホールには複数台のエレベータが設置され、前記建物の中で特定の階へのエレベータの行先登録が不可能な状態となりえる防犯運転を行うエレベータの群管理制御装置であって、前記防犯用ドアの近傍に設置されて、防犯対象階の利用を認められ前記防犯用ドアの解錠をするための非接触手段を所有する特定の利用者の前記非接触手段の情報を読み取る第１非接触手段読取装置と、前記エレベータホールに設置されて、前記防犯対象階の利用を認められ前記非接触手段を所有する特定の利用者の前記非接触手段の情報を読み取る第２非接触手段読取装置と、前記第１非接触手段読取装置と前記第２非接触手段読取装置からの信号により前記非接触手段を所有する特定の利用者の位置を検出する特定人物位置検出手段と、前記特定人物位置検出手段により前記非接触手段を所有する特定の利用者が前記エレベータホールに到着したことを検出した場合に、前記防犯用ドア設置階の乗場呼びに応答した前記エレベータの前記非接触手段に該当する前記防犯対象階の乗りかご呼びを登録可能な状態にする特定人物不停止解除手段と、前記非接触手段を所有しない非特定人物が前記防犯対象階に在館している人物に連絡を取って前記防犯用ドアが解除されることで前記エレベータホールへの移動を許可されるとともに、前記連絡後に前記エレベータが前記防犯用ドア設置階の乗場呼びに応答した場合には前記連絡を取った前記防犯対象階の乗りかご呼びを登録可能な状態にする非特定人物不停止解除手段と、を備えることを特徴とする。これにより、防犯用ドアと連動してエレベータを運行する場合に、非接触手段を所有する特定の利用者の位置をも加味することでエレベータのセキュリティ（防犯）を向上させるとともに、利用者の利便性を向上できる。
【００６３】
本発明のエレベータの群管理制御装置は、各前記エレベータの乗りかご内に設置された第３非接触手段読取装置と、前記非接触手段を所有する特定の利用者の前記非接触手段の情報を、前記第２非接触手段読取装置と前記第３非接触手段読取装置とにより検出した順番により、前記非接触手段を所有する特定の利用者が前記エレベータの乗りかごを利用するのか、前記エレベータの乗りかごを使用し終わったのか、を判断する特定利用者利用状況判断手段と、前記非接触手段を所有する特定の利用者が前記エレベータの乗りかごを利用する場合に限り前記エレベータの該当階の乗りかご呼びを登録可能な状態にする利用状況加味特定人物不停止解除手段と、を備えることを特徴とする。これにより、非接触手段を所有する特定の利用者の移動に際しては、一定時間内に入口部からエレベータホールへ移動する必要がある制約を加味しなくても良く、さらに利便性が向上する。
【００６４】
本発明のエレベータの群管理制御装置は、前記第３非接触手段読取装置により、前記非接触手段を所有する特定の利用者が乗り込んだ前記エレベータを判断する特定人物乗車エレベータ判別手段と、前記非接触手段を所有する特定の利用者が乗り込んだ前記エレベータのみ該当階の乗りかご呼びを登録可能な状態にする特定人物乗車エレベータ限定不停止解除手段と、を備えることを特徴とする。これにより、全部のエレベータのセキュリティ（防犯）を解除する必要が無く特定の利用者が乗り込んだエレベータのみセキュリティ（防犯）を解除すればよいので、他のエレベータのセキュリティ（防犯）を確保できる。
【００６５】
本発明のエレベータの群管理制御装置は、前記非接触手段を所有する特定の利用者が前記エレベータを利用する際に、一旦前記防犯用ドア設置階に前記エレベータが応答したにも関わらず、別の前記非接触手段を所有する特定の利用者が前記エレベータにいると検出された場合には、前記エレベータが先に出発してしまったことを案内する特定利用者向け運行状況案内手段と、を備えることを特徴とする。これにより、一旦防犯用ドア設置階にエレベータの乗りかごが応答したにも関わらず、別の非接触手段を所有する特定の利用者がエレベータホールにいることがエレベータホール設置の第２非接触手段読取装置により検出された場合には、特定利用者向け運行状況案内手段が、エレベータの乗りかごが先に出発してしまったことを、非接触手段を所有する特定の利用者に対して案内することができ、利用者の利便性を向上できる。
【００６６】
本発明のエレベータの群管理制御装置は、前記特定利用者向け運行状況案内手段により前記エレベータが出発してしまったことを案内するとともに、該当階で乗場呼びを自動的に登録する特定利用者乗場呼び再登録手段を備えることを特徴とする。これにより、乗れなかった非接触手段を所有する特定の利用者のために、防犯用ドア設置階の乗場呼びを自動的に登録して、再度セキュリティの解除を行うことができ、利用者の利便性を向上できる。
【００６７】
本発明は、上記実施形態に限定されない。図２に示す実施形態では、エレベータの群管理制御装置は、一例として３台のエレベータに適用されているが、エレベータの数は、２台であっても、４台以上であっても良い。建物は、例えば集合住宅以外にオフィスビル等の他の種類の建物であっても良く、特に限定されない。非接触手段の一例として非接触キーを用いているが、これに限らず他の種類のものであっても良い。
【００６８】
さらに、本発明の実施の形態に開示されている複数の構成要素を適宜組み合わせることにより種々の発明を形成できる。例えば、本発明の実施の形態に示される全構成要素から幾つかの構成要素を削除してもよい。更に、異なる実施の形態に亘る構成要素を適宜組み合わせてもよい。
【符号の説明】
【００６９】
１                非接触キー（非接触手段の一例）を所有する特定の利用者（特定人物、人物Ａ）
３                オートロックドア（防犯用ドアの一例）
４                非接触キーを所有する特定の利用者（特定人物、人物Ｂ）
７                第１非接触キー読取装置（第１非接触手段読取装置の一例）
８                第２非接触キー読取装置（第２非接触手段読取装置の一例）
９                特定人物位置検出手段
１０              特定人物不停止解除手段
１１ａ            エレベータ制御盤（Ａ）
１１ｂ            エレベータ制御盤（Ｂ）
１１ｃ            エレベータ制御盤（Ｃ）
１２              エレベータセキュリティ運転処理部
１３              インターホーン制御装置
１４              非特定人物不停止解除手段
１９              第３非接触キー読取装置
１９ａ，１９ｂ，１９ｃ    第３非接触キー読取装置（第３非接触手段読取装置の一例）
２４，２５，２６  乗りかご
１００            エレベータの群管理制御装置
１００Ａ          エレベータの群管理制御装置
１００Ｂ          エレベータの群管理制御装置
１０１            エントランス（入口部の一例）
１０２            廊下
１０３            エレベータホール
１３０            特定利用者利用状況判断手段
１３１            利用状況加味特定人物不停止解除手段
１４０            特定人物乗車エレベータ判別手段
１４１            特定人物乗車エレベータ限定不停止解除手段
１５０            特定利用者向け運行状況案内手段
１５１            特定利用者乗場呼び再登録手段
２０１，２０２，２０３    エレベータ
Ｈ                建物
【図１】
2010208725.tif 000003
【図２】
2010208725.tif 000004
【図３】
2010208725.tif 000005
【図４】
2010208725.tif 000006
【図５】
2010208725.tif 000007